(57)【特許請求の範囲】
【請求項１】
被取付面に取り付けられる本体と、前記本体に装着されるＬＥＤモジュールとを備え、前記ＬＥＤモジュールは、バネ受けに復元力により係合するバネにより前記本体に着脱自在に取り付けられる照明装置において、前記バネは、間隔を空けて並んで配置された複数のコイルバネ部と、前記コイルバネ部から延出してフレーム状に成形されたフレーム部とから成り、前記フレーム部は、一の前記コイルバネ部から延出して曲げられて他の前記コイルバネ部に引き取られるようにして形成されていることを特徴とする照明装置。
【請求項２】
請求項１に記載された照明装置であって、前記バネは前記本体に設けられる一方、前記バネ受けは前記ＬＥＤモジュールに設けられていることを特徴とする照明装置。
【請求項３】
請求項１又は請求項２のいずれかに記載された照明装置であって、前記バネの前記フレーム部は、前記コイルバネ部が設置されている面に向けて付勢され、前記付勢力に抗してバネ受けに挿入されて前記バネ受けを引き寄せることを特徴とする照明装置。
【請求項４】
請求項１乃至請求項３のいずれかに記載された照明装置であって、前記フレーム部は、一方の前記コイルバネ部から延出して２回折り曲げられて他方の前記コイルバネ部に引き取られるようにして形成された略コの字状の形状を有し、１本の指を前記フレーム部に引っ掛けることにより弾性変形させて持ち上げられることにより前記バネ受けに係合できることを特徴とする照明装置。
【請求項５】
請求項１乃至請求項４のいずれかに記載された照明装置であって、前記フレーム部は、一部に屈曲部を有することを特徴とする照明装置。
【請求項６】
請求項１乃至請求項５のいずれかに記載された照明装置であって、前記本体及び前記ＬＥＤモジュールは長尺状の形状を有し、前記バネ及び前記バネ受けは、前記長尺状の形状を有する前記本体又は前記ＬＥＤモジュールの幅方向における中央部に設けられていることを特徴とする照明装置。
【請求項７】
請求項１乃至請求項６のいずれかに記載された照明装置であって、前記照明装置は長尺状の形状を有し、前記バネは、前記フレーム部が、前記コイルバネ部から前記長尺状の形状を有する前記照明装置の長手方向に向けて延びるように配置されていることを特徴とする照明装置。
【請求項８】
請求項１乃至請求項７のいずれかに記載された照明装置であって、前記バネは、前記コイルバネ部の設置間隔が、前記一の前記コイルバネ部から延出して曲げられて他の前記コイルバネ部に引き取られるようにして形成されているフレーム部の幅よりも大きいことを特徴とする照明装置。
【請求項９】
請求項１乃至請求項８のいずれかに記載された照明装置であって、前記バネ受けは、前記バネのフレーム部に係止することができる係止片を有することを特徴とする照明装置。
【請求項１０】
請求項１乃至請求項９のいずれかに記載された照明装置であって、前記バネ受けは、前記バネのフレーム部のフレーム形状の一部に沿って切り欠かれた挿入補助部を有することを特徴とする照明装置。
【発明の詳細な説明】
【技術分野】
【０００１】
本発明は、例えば、主に、事業所や店舗等の商業施設等の比較的広い施設の天井面に設置される直管型のＬＥＤ照明装置の改良に関し、特に、照明装置を適切に位置決めしつつ簡易に設置することに関するものである。
【背景技術】
【０００２】
近年、環境意識の高まりから、省電力化に優れたＬＥＤ素子を光源に使用した、電源内蔵型のＬＥＤランプが普及してきた。特に、最近は、比較的長尺の直管蛍光灯ランプの代替製品としても、長尺のＬＥＤモジュールを備えた直管型ＬＥＤ照明装置が開発され、市場に導入されるに至っている。
【０００３】
このような直管型のＬＥＤ照明装置は、一般に、天井面等の被取付面に取り付けられ電源等を内蔵する本体と、この本体に装着されるＬＥＤモジュールとを備え、ＬＥＤモジュールの長手方向の端部等に設けられたＶ字状バネを、その付勢力に抗して指で間隔を狭めて本体に形成されたバネ受けに挿入して復元力によりバネ受けに係合させることにより、ＬＥＤモジュールを本体に装着していた（例えば、特許文献１、２等参照）。
【０００４】
しかし、これらの従来技術のように、Ｖ字状バネを使用すると、指でバネの付勢力に抗してバネの間隔を狭めるのに多大な力を要すると共に、指に力を入れて適切に狭められた間隔を維持しつつ、Ｖ字状バネの先端を本体に設けられたバネ受け内に挿入しなければならないため、簡易にかつ迅速に位置決めをすることが困難であり、ＬＥＤモジュールの装着作業に手間と時間を要する問題があった。
【０００５】
また、これらの従来技術を初めとする一般的な照明装置では、ＬＥＤモジュール側にバネを設けて、このバネを本体に設けられたバネ受けに係合させるものが殆どであったが、このように、本体に吊り下げられるＬＥＤモジュール側にバネを設けると、作業者が指に力を入れてバネの付勢力に抗してバネの間隔を狭めながら、同時にバネを持って、このバネに吊り下げられているＬＥＤモジュールごと上方に引き上げなければならず、装着作業が容易ではない問題があった。
【０００６】
更には、このようなＶ字状バネを、特に直管型ＬＥＤモジュールの長手方向の両側面に相対向して複数設けた場合には、それだけ作業箇所、ひいては、作業工程数が増大し、作業性を益々低下させる問題も生じさせていた。
【先行技術文献】
【特許文献】
【０００７】
【特許文献１】特許第３５３８９６４号公報
【特許文献２】特許第４０７８４９１号公報
【発明の概要】
【発明が解決しようとする課題】
【０００８】
本発明が解決しようとする課題は、上記の問題点に鑑み、少ない工程数及び簡易な作業で、適切に位置決めしつつ、円滑にかつ的確にＬＥＤモジュールを本体に装着することができる照明装置を提供することにある。
【課題を解決するための手段】
【０００９】
本発明は、上記の課題を解決するための第１の手段として、被取付面に取り付けられる本体と、この本体に装着されるＬＥＤモジュールとを備え、このＬＥＤモジュールは、バネ受けに復元力により係合するバネにより本体に着脱自在に取り付けられる照明装置において、このバネは、間隔を空けて並んで配置された複数のコイルバネ部と、このコイルバネ部から延出してフレーム状に成形されたフレーム部とから成り、このフレーム部は、一のコイルバネ部から延出して曲げられて他のコイルバネ部に引き取られるようにして形成されていることを特徴とする照明装置を提供するものである。
【００１０】
また、本発明は、上記の課題を解決するための第２の手段として、上記第１の解決手段において、バネは本体に設けられる一方、バネ受けはＬＥＤモジュールに設けられていることを特徴とする照明装置を提供するものである。
【００１１】
本発明は、上記の課題を解決するための第３の手段として、上記第１又は第２のいずれかの解決手段において、バネのフレーム部は、コイルバネ部が設置されている面に向けて付勢され、付勢力に抗してバネ受けに挿入されてバネ受けを引き寄せることを特徴とする照明装置を提供するものである。
【００１２】
本発明は、上記の課題を解決するための第４の手段として、上記第１乃至第３のいずれかの解決手段において、フレーム部は、一方のコイルバネ部から延出して２回折り曲げられて他方のコイルバネ部に引き取られるようにして形成された略コの字状の形状を有し、１本の指をフレーム部に引っ掛けることにより弾性変形させて持ち上げられることによりバネ受けに係合できることを特徴とする照明装置を提供するものである。
【００１３】
本発明は、上記の課題を解決するための第５の手段として、上記第１乃至第４のいずれかの解決手段において、フレーム部は、一部に屈曲部を有することを特徴とする照明装置を提供するものである。
【００１４】
本発明は、上記の課題を解決するための第６の手段として、上記第１乃至第５のいずれかの解決手段において、本体及びＬＥＤモジュールは長尺状の形状を有し、バネ及びバネ受けは、長尺状の形状を有する本体又はＬＥＤモジュールの幅方向における中央部に設けられていることを特徴とする照明装置を提供するものである。
【００１５】
本発明は、上記の課題を解決するための第７の手段として、上記第１乃至第６のいずれかの解決手段において、照明装置は長尺状の形状を有し、バネは、フレーム部が、コイルバネ部から長尺状の形状を有する照明装置の長手方向に向けて延びるように配置されていることを特徴とする照明装置を提供するものである。
【００１６】
本発明は、上記の課題を解決するための第８の手段として、上記第１乃至第７のいずれかの解決手段において、バネは、コイルバネ部の設置間隔が、一のコイルバネ部から延出して曲げられて他のコイルバネ部に引き取られるようにして形成されているフレーム部の幅よりも大きいことを特徴とする照明装置を提供するものである。
【００１７】
本発明は、上記の課題を解決するための第９の手段として、上記第１乃至第８のいずれかの解決手段において、バネ受けは、バネのフレーム部に係止することができる係止片を有することを特徴とする照明装置を提供するものである。
【００１８】
本発明は、上記の課題を解決するための第１０の手段として、上記第１乃至第９のいずれかの解決手段において、バネ受けは、バネのフレーム部のフレーム形状の一部に沿って切り欠かれた挿入補助部を有することを特徴とする照明装置を提供するものである。
【発明の効果】
【００１９】
本発明によれば、上記のように、モジュールを本体に装着するためのバネを、間隔を空けて並んで配置された複数のコイルバネ部と、このコイルバネ部から延出してフレーム状に成形されたフレーム部とから形成しているため、作業者が、例えば、１本の指等でこのフレーム部を持ち上げる等するだけで、バネ受けに係合することができ、モジュールの装着作業を容易とすることができる実益がある。
【００２０】
この場合、本発明によれば、上記のように、天井面等に取り付けられる本体にバネを設け、本体に取り付けられるＬＥＤモジュールにバネ受けを設けているため、バネをその付勢力に抗して持ち上げながら同時にバネを把持してＬＥＤモジュールごと引き上げる必要がなく、面倒な力作業を要することなく、簡易にＬＥＤモジュールを本体に装着することができる実益がある。
【００２１】
また、本発明によれば、上記のように、バネのフレーム部は、一部に屈曲部を有するため、自由状態において設置面からフレーム部の一部が盛り上がるようにして配置されるため、作業のための指等をフレーム部に挿入しやすく、装着作業がより一層簡易となる実益がある。
【００２２】
更に、本発明によれば、上記のように、バネ及びバネ受けは、本体又はＬＥＤモジュールの幅方向における中央部に設けられているため、ＬＥＤモジュールの位置決めが容易であると共に、長手方向の両端に設ける場合と比べて、バネのバネ受けへの装着箇所、ひいては、作業工程数を減少させることができ、装着作業がより一層簡易となる実益がある。
【００２３】
加えて、本発明によれば、上記のように、バネ受けは、バネのフレーム部のフレーム形状の一部に沿って切り欠かれた挿入補助部を有するため、バネをバネ受けに挿入する際の位置決めを適切に行うことができ、装着作業をより一層円滑かつ的確に行うことができる実益がある。
【図面の簡単な説明】
【００２４】
【図１】本発明の照明装置の下方から見た斜視図である。
【図２】本発明の照明装置の上方から見た斜視図である。
【図３】本発明に用いられる本体の平面図である。
【図４】本発明に用いられるバネ拡大斜視図である。
【図５】本発明に用いられるバネ受けの拡大斜視図である。
【図６】本発明に用いられるバネ及びバネ受けの拡大斜視図である。
【図７】本発明に用いられるバネをバネ受けに係止した状態の一部破断斜視図である。
【図８】本発明に用いられるバネをバネ受けに装着した状態の一部破断斜視図である。
【図９】本発明に用いられるバネをバネ受けに装着した状態の拡大側面図である。
【図１０】本発明の照明装置の幅方向における縦断面図である。
【発明を実施するための形態】
【００２５】
本発明の実施の形態について図面を参照しながら詳細に説明すると図１及び図２は、本発明の照明装置１０を示し、この照明装置１０は、例えば、事業所や店舗等の商業施設等天井面に多数設置されて、比較的の広いスペースを照射するために用いられる。この照明装置１０は、図１及び図２に示すように、長尺の直管型の照明装置１０であって、天井面等の被取付面に取り付けられる本体１２と、この本体１２に装着されるＬＥＤモジュール１４とを備えている。
【００２６】
（１．本体）
本体１２は、図２及び図３に示すように、中央に凹部状の溝部１２Ａを有する一方、この溝部１２Ａの長手方向における両端面から延びるようにして形成されたテーパー部１２Ｂとから成り、溝部１２Ａの天面を通じてアンカーボルト１６により天井面等の被取付面に直付けされる。この溝部１２Ａには、図３に示すように、図示しない点灯回路等に給電する電源ボックス１８等が設置されると共に、図１０に示すように、ＬＥＤモジュール１４を装着した場合にその一部が収容される。なお、この本体１２は、例えば、放熱性の高いアルミニウム等の金属製材料をプレス加工等することにより形成することができる。
【００２７】
（２．ＬＥＤモジュール）
一方、ＬＥＤモジュール１４は、図１及び図２、図１０に示すように、本体１２の溝部１２Ａに対応した長尺状の形状に形成され、内部に図示しないＬＥＤ基板及びこのＬＥＤ基板に装着されるＬＥＤ素子が装填されている。このＬＥＤ素子は、本体１２に設けられた電源ボックス１８から給電を受けて発光する。また、このＬＥＤモジュール１４は、透光性カバー１４Ａで覆われており、この透光性カバー１４Ａは、図１及び図２、図１０に示すように、本体１２のテーパー部１２Ｂに続くなだらかなテーパー面に形成され、照明装置１０として優れた意匠性を発揮している。
【００２８】
また、ＬＥＤモジュール１４内に配置されるＬＥＤ基板の形状やＬＥＤ素子の配置については、特に限定はないが、例えば、ＬＥＤ基板の両端（長手方向の始端と終端）付近において実装されるＬＥＤ素子の密度を、ＬＥＤ基板の中央部付近に配置されるＬＥＤ素子の密度よりも高めて集中的に配置することが望ましい。これにより、照明装置１０の両端における光度の減少を抑制することができると共に、特に、複数の照明装置１０を天井面において連結して連続して配置する場合においても、照明装置１０間に連結部分における明るさの減少を抑制して、光の連続性を維持して、直線状の発光を確保することができる。
【００２９】
また、図示の実施の形態では、ＬＥＤモジュール１４、ひいてはその内部に装填されるＬＥＤ基板は、図１０に示すように、平板状に形成されているが、光の拡散効率を考慮して、ＬＥＤモジュール１４を逆Ｖ字型に形成して、その各々の斜面にＬＥＤ基板を逆Ｖ字型に配置することや、フレキシブルなＬＥＤ基板を逆Ｖ字型に折り曲げて配置することもできる。
【００３０】
なお、ＬＥＤモジュール１４の透光性カバー１４Ａは、図１０に示すように、ＬＥＤ基板の載置部に、ＬＥＤモジュール１４の長手方向における端末部からスライドさせて組み立てるため、ＬＥＤ基板の載置部と確実に嵌合しており、落下の虞がない。
【００３１】
（３．バネ及びバネ受け）
このＬＥＤモジュール１４は、図３乃至図１０に示すように、バネ受け２０に復元力により係合するバネ２２により本体１２に着脱自在に取り付けられる。この場合、本発明においては、図３乃至図１０に示すように、バネ２２が本体１２に設けられる一方、バネ受け２０がＬＥＤモジュール１４に設けられている。このため、ＬＥＤモジュール１４側にバネ２２を設けた場合と異なり、バネ２２をその付勢力に抗して変形させながら同時にバネ２２を把持してＬＥＤモジュール１４ごと引き上げる必要がなく、面倒な力作業を要することなく、簡易にＬＥＤモジュール１４を本体１２に装着することができる。但し、この形態に限定されるものではなく、バネ２２をＬＥＤモジュール１４に、バネ受け２０を本体１２に設置する形態とすることもできる。
【００３２】
また、これらのバネ２２及びバネ受け２０は、本発明においては、図３乃至図１０に示すように、本体１２又はＬＥＤモジュール１４の幅方向における中央部における２カ所に設けられている。従って、ＬＥＤモジュール１４の位置決めが容易であると共に、照明装置１０の長手方向における両端にバネ２２等を設ける場合（２カ所の両端に設けて計４カ所に設ける場合）に比べて、バネ２２のバネ受け２０への装着箇所、ひいては、作業工程数を減少させることができ、装着作業をより一層簡易にすることができる。このように、バネ２２及びバネ受け２０を、照明装置１０の幅方向における中央部に設置することができるのも、本発明において、以下のような特徴的なバネ２２及びバネ受け２０としたことにより実現することができたものである。
【００３３】
（３．−１  バネ）
即ち、本発明におけるバネ２２は、特に図３乃至図５に示すように、本体１２の溝部１２Ａの天面に相対向して配置された複数のコイルバネ部２２Ａと、このコイルバネ部２２から延出してフレーム状に成形されたフレーム部２２Ｂとから成っている。従って、従来使用されてきたＶ字状バネと異なり、２本の指で両端のバネ間の間隔を狭める等の作業をすることなく、バネ受け２０に装着することができる。
【００３４】
より具体的には、バネ２２のフレーム部２２Ｂは、図３及び図４に示すように、一方のコイルバネ部２２Ａから延出して２回折り曲げられて他方のコイルバネ部２２Ａに引き取られるようにして形成された略コの字状の形状に形成することができる。これにより、１本の指をフレーム部２２Ｂの左右等に跨って引っ掛けることにより、簡単に弾性変形させることができる。このため、作業者が、１本の指等でこのフレーム部２２Ｂを持ち上げる等するだけで、バネ受け２０に簡単に係合させることができ、ＬＥＤモジュール１４の装着作業を容易に行うことができる。
【００３５】
この場合、特に、図４及び図６乃至図９に示すように、このフレーム部２２Ｂの一部に屈曲部２４を設けることが望ましい。これにより、フレーム部２２Ｂは、図４、図６及び図８に示すように、自由状態において設置面からその一部が盛り上がるようにして配置されるため、作業のための指等をこの盛り上がったスペース内に挿入してフレーム２２Ｂを持ち上げ易くなり、装着作業がより一層簡易となる。なお、図示の実施の形態では、フレーム部２２Ｂをコイルバネ部２２Ａ側へ向けて屈曲させた屈曲部２４とし、屈曲部２４自体が盛り上がるようにしたが、作業のための指を挿入するのに適したスペースを設けることができれば、これとは逆に、コイルバネ部２２Ａとは、反対側へ向けて屈曲させて、コの字のフレーム部２２Ｂの先端分が本体１２から浮き上がるように設定することもできる。
【００３６】
また、このバネ２２は、図３及び図４に示すように、そのフレーム部２２Ｂが、コイルバネ部２２Ａが設置されている面（図示の実施の形態では、本体１２の溝部１２Ａの天面）に向けて付勢されている。従って、図６及び図７に示すように、この付勢力に抗して、フレーム部２２Ｂを持ち上げて、ＬＥＤモジュール１４に設けられたバネ受け２０に挿入した後、その弾性変形を解除することにより、図８乃至図１０に示すように、バネ２２はバネ受け２０を引き寄せることができ、これにより、バネ受け２０を備えたＬＥＤモジュール１４を本体１２に装着することができる。
【００３７】
この場合、バネ２２は、図３、図４及び図６乃至図９に示すように、そのフレーム部２２Ｂが、コイルバネ部２２Ａから照明装置１０の長手方向に向けて延びるように配置されている。このため、長尺状の直管型の照明装置１０において、ＬＥＤモジュール１４を装着する際に、ＬＥＤモジュール１４を照明装置１０の幅方向に変位させて装着する場合に比べて、長手方向における変位量を充分に確保することができ、装着作業を容易化することができる。
【００３８】
更に、バネ２２は、２つのコイルバネ部２２Ａ間の設置間隔を、フレーム部２２Ｂの幅よりも大きく設定することが望ましい。これにより、大きく弾性変形するフレーム部２２Ｂの付け根部分の強度が向上し、図８乃至図１０に示すように、バネ受け２０に装着後、ＬＥＤモジュール１４を安定的に保持することができる。
【００３９】
なお、図示の実施の形態では、バネ２２のフレーム部２２Ｂは、一本のバネ材から直線状に形成されているが、フレーム状であれば、その形状に特に限定はなく、例えば、多角形状や円弧状のフレーム部２２Ｂとすることもできる。同様に、一本のバネ材から形成する場合には限定されず、複数のバネ材を結合して、バネ２２とすることもできる。
【００４０】
（３．−２  バネ受け）
一方、バネ受け２０は、特に図５及び図６、図１０に示すように、凹状のバネ受け本体２０Ａと、このバネ受け本体２０Ａから左右に延びるようにして形成されたフランジ部２０Ｂとを有し、このフランジ部２０Ｂを、ＬＥＤモジュール１４にボルト等の適宜の手段により固定することにより、ＬＥＤモジュール１４において本体１２に設置されたバネ２２に対応する位置に取り付けられる。
【００４１】
バネ２２は、図８乃至図１０に示すように、この凹状のバネ受け本体２０ＡとＬＥＤモジュール１４の天面との間に形成されたスペースに、フレーム部２２Ｂが挿入された後、自由状態とされることにより復元して、バネ受け本体２０Ａ、ひいては、ＬＥＤモジュール１４を、本体１２側へ引き寄せることができる。
【００４２】
この場合、バネ受け２０は、図５乃至図１０に示すように、このバネ２２のフレーム部２２Ｂのバネ受け２０内への挿入等の際に、バネ２２のフレーム部２２に係止することができる係止片２６を有する。このため、特に、図７に示すように、バネ２２のフレーム部２２Ｂをその付勢力に抗して、ＬＥＤモジュール１４側へ起こした後、このフレーム部２２Ｂに跨るようにして係止片２６を引っ掛けるだけで、ＬＥＤモジュール１４を簡単に適正な位置に位置決めすることができると同時に、一時的にＬＥＤモジュール１４を吊り下げて仮止めすることができ、装着作業を簡単に行うことができる。従って、この係止片２６の幅は、図７及び図８に示すように、バネ２２のフレーム部２２Ｂの幅（間隔）よりも小さく設定する。
【００４３】
また、このバネ受け２０には、図５乃至図９に示すように、バネ２２のフレーム部２２Ｂのフレーム形状の一部に沿って切り欠かれた挿入補助部２８が形成されている。この挿入補助部２８は、特に図８及び図９に示すように、バネ受け２０を、照明装置１０の長手方向に延びるようにして配置されているフレーム部２２Ｂに対して相対的に長手方向へ変位することを許容すると共に、挿入補助部２８に沿って変位させることによりその変位を案内する役割を有し、バネ２２がバネ受け２０を円滑に引き寄せることを可能とする。このため、バネ２２をバネ受け２０に挿入する際の位置決めを適切に行うことができ、装着作業をより一層円滑かつ的確に行うことができる。
【００４４】
（４．使用方法）
次に、本発明の照明装置１０において、ＬＥＤモジュール１４を本体１２に装着する手順を説明すると、図６に示すように、ＬＥＤモジュール１４を本体１２に対して、ある程度位置決めして、ＬＥＤモジュール１４のバネ受け２０を、本値１２に設けられた場ね２２に対応する位置に配置する。
【００４５】
次いで、本体１２に設けられたバネ２２のフレーム部２２Ｂに指等を引っ掛ける等して、バネの付勢力に抗してＬＥＤモジュール１４側へ引き出し、図７に示すように、バネ受け２０の係止片２６に、バネ２２のフレーム部２２を引っ掛ける。この作業を、図３において左右に示す２カ所のバネ２２について行い、その後、ＬＥＤモジュール１４を本体へ向けて押し上げると、バネ２２の復元力により、挿入補助部２８内をバネ２２のフレーム部２２Ｂが摺動して、ＬＥＤモジュール１４が本体１２に引き寄せられて、図８乃至図１０に示すように、ＬＥＤモジュール１４が、本体１２に対して所定の位置に装着される。
【００４６】
一方、ＬＥＤモジュール１４を、メンテナンスや交換等のために、本体１２から取り外す場合には、ＬＥＤモジュールをバネ２２の付勢力に抗して下方に引き下げて、図７に示すように、ＬＥＤモジュール１４に設けられたバネ受け２０の係止片２６に、バネ２２のフレーム部２２Ｂを引っ掛けた状態として、取り外すことができる。なお、この場合、ＬＥＤモジュール１４の不意の落下を防止するため、本体１２とＬＥＤモジュール１４とを、図示しない紐で連結しておくと、ＬＥＤモジュール１４の落下による破損等を防止することができる。
【００４７】
（５．その他）
なお、図示の実施の形態では、図３に示すように、照明装置１０の長手方向の２箇所にバネ２２及びバネ受け２０を設置したが、照明装置１０の一方の端末部において、本体１２とＬＥＤモジュール１４とを図示しないヒンジ等により揺動自在に、あるいは、仮止めできる状態で連結し、他方の端末付近における１箇所においてバネ２２及びバネ受け２０を設置する構造とすることもできる。
【産業上の利用可能性】
【００４８】
本発明は、例えば、主に、事業所や店舗等の商業施設等の比較的広い施設の天井面に設置される直管型の照明装置１０その他の照明装置に広く適用することができる。
【符号の説明】
【００４９】
１０  照明装置
１２  本体
１２Ａ  溝部
１２Ｂ  テーパー部
１４  ＬＥＤモジュール
１４Ａ  透光性カバー
１６  アンカーボルト
１８  電源ボックス
２０  バネ受け
２０Ａ  バネ受け本体
２０Ｂ  フランジ部
２２  バネ
２２Ａ  コイルバネ部
２２Ｂ  フレーム部
２４  屈曲部
２６  係止片
２８  挿入補助部
【要約】
【課題】  少ない工程数及び簡易な作業で、適切に位置決めしつつ、円滑にかつ的確にＬＥＤモジュールを本体に装着する。
【解決手段】  照明装置１０は、天井面等の被取付面に取り付けられる本体１２と、この本体１２に装着されるＬＥＤモジュール１４とを備え、このＬＥＤモジュール１４は、バネ受け２０に復元力により係合するバネ２２により本体１２に着脱自在に取り付けられる。このバネ２２は、相対向して配置された複数のコイルバネ部２２Ａと、このコイルバネ部２２Ａから延出してフレーム状に成形されたフレーム部２２Ｂとから成っている。バネ受け２０は、このバネ２２のフレーム部２２Ｂのフレーム形状の一部に沿って切り欠かれた挿入補助部２８を有する。
【選択図】        図８【図１】
0005619228.tif 000002
【図２】
0005619228.tif 000003
【図３】
0005619228.tif 000004
【図４】
0005619228.tif 000005
【図５】
0005619228.tif 000006
【図６】
0005619228.tif 000007
【図７】
0005619228.tif 000008
【図８】
0005619228.tif 000009
【図９】
0005619228.tif 000010
【図１０】
0005619228.tif 000011